【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
シャワーヘッドの流路の途中に機能剤を収容可能な収容部が設けられ、前記機能剤を収容した前記収容部に水を流過させることで前記機能剤の成分を前記水中に溶出させるシャワー器具であって、
前記収容部の内面には、該収容部の導入口から流入した水を攪拌流にする攪拌手段が設けられていることを特徴とするシャワー器具。
【請求項２】
前記シャワーヘッドの先端を上に向けた状態での、前記収容部の下面には、前記導入口と前記シャワーヘッドのシャワー出口に通ずる出水孔とが設けられ、該出水孔が前記シャワー出口の下端よりも上方位置となるように前記収容部が配置されていることを特徴とする請求項１に記載のシャワー器具。
【請求項３】
前記収容部は、前記シャワーヘッドに着脱自在に設けられ、該シャワーヘッドの上部に前記収容部を出し入れする開口部が設けられていることを特徴とする請求項１または２に記載のシャワー器具。
【請求項４】
前記収容部は、カゴと蓋とからなり、前記カゴには水の導入口及び出水孔が形成され、前記蓋には前記攪拌手段が設けられていることを特徴とする、請求項１乃至３の何れか一項に記載のシャワー器具。
【請求項５】
前記蓋は、前記シャワーヘッドの開口部を閉塞することを特徴とする請求項４に記載のシャワー器具。
【請求項６】
前記攪拌手段には、前記収容部内での攪拌流の偏りを防止する整流手段が設けられていることを特徴とする請求項１乃至５の何れか一項に記載のシャワー器具。
【請求項７】
前記整流手段は、前記蓋に形成されていることを特徴とする、請求項６に記載のシャワー器具。
【請求項８】
前記収容部の上流側には、原水を浄化する浄化手段が設けられていることを特徴とする請求項１乃至７の何れか一項に記載のシャワー器具。
【手続補正２】
【補正対象書類名】明細書
【補正対象項目名】０００５
【補正方法】変更
【補正の内容】
【０００５】
上記課題を解決するために、請求項１に記載した発明は、シャワーヘッド（例えば、実施の形態におけるシャワーヘッド１）の流路の途中に機能剤を収容可能な収容部（例えば、実施の形態における収容部３３）が設けられ、前記機能剤を収容した前記収容部に水を流過させることで前記機能剤の成分を前記水中に溶出させるシャワー器具であって、前記収容部の内面には、該収容部の導入口（例えば、実施の形態における嵌合孔２３）から流入した水を攪拌流にする攪拌手段（例えば、実施の形態における主板部２８）が設けられていることを特徴としている。
このように構成することで、シャワーヘッドに導入された水が流路を介して収容部の導入口から収容部内に流入したのち攪拌手段によって攪拌流になるので、収容部内に収容された機能剤が攪拌されて、例えば、収容部の流出口側に機能剤が偏るのを防止することができる。
【手続補正３】
【補正対象書類名】明細書
【補正対象項目名】０００６
【補正方法】変更
【補正の内容】
【０００６】
請求項２に記載した発明は、請求項１に記載の発明において、前記シャワーヘッドの先端を上に向けた状態での、前記収容部の下面には、前記導入口とシャワーヘッドのシャワー出口に通ずる出水孔（例えば、実施の形態における出水孔２５）とが設けられ、該出水孔が前記シャワーヘッドのシャワー出口（例えば、実施の形態におけるシャワー出口５）の下端よりも上方位置となるように前記収容部が配置されていることを特徴とする。
このように構成することで、例えば、シャワーの使用を一旦止めてシャワーヘッドをシャワー掛けに係止した場合に、収容部の中に残留している水が、出水孔を介してより下方のシャワー出口から自重により排出されるため、機能剤が水中に浸され続けることがなく、機能剤が無駄に溶出して消費されることがない。
【手続補正４】
【補正対象書類名】明細書
【補正対象項目名】０００８
【補正方法】変更
【補正の内容】
【０００８】
請求項４に記載した発明は、請求項１乃至３の何れか一項に記載の発明において、前記収容部は、カゴと蓋（例えば、実施の形態における蓋４）とからなり、前記カゴには水の導入口及び出水孔が形成され、前記蓋には前記攪拌手段が設けられていることを特徴とする。
このような構成とすることで、前記蓋によって収容部に導入された水を攪拌流にすることができる。
請求項５に記載した発明は、請求項４に記載の発明において、前記蓋は、前記シャワーヘッドの開口部を閉塞することを特徴とする。
このように構成することで、シャワーヘッドとカゴとの上部開口部を同時に閉塞することができる。
【手続補正５】
【補正対象書類名】明細書
【補正対象項目名】０００９
【補正方法】変更
【補正の内容】
【０００９】
請求項６に記載した発明は、請求項１乃至５の何れか一項に記載の発明において、前記攪拌手段には、前記収容部内での攪拌流の偏りを防止する整流手段（例えば、実施の形態における整流部３１）が設けられていることを特徴とする。
このような構成とすることで、収容部内の水をより確実に攪拌流にすることができる。
請求項７に記載した発明は、請求項６に記載の発明において、前記整流手段は、前記蓋に形成されていることを特徴とする。
このような構成とすることで、収容部内の水をより確実に攪拌流にすることができる。
【手続補正６】
【補正対象書類名】明細書
【補正対象項目名】００１０
【補正方法】変更
【補正の内容】
【００１０】
請求項８に記載した発明は、請求項１乃至７の何れか一項に記載の発明において、前記収容部の上流側には、原水を浄化する浄化手段（例えば、実施の形態における浄水カートリッジ１８）が設けられていることを特徴とする。
このような構成とすることで、浄化手段によって浄化された原水を収容部に導入することができる。
【手続補正７】
【補正対象書類名】明細書
【補正対象項目名】００１１
【補正方法】変更
【補正の内容】
【００１１】
請求項１に記載した発明によれば、シャワーヘッドに導入された水が流路を介して収容部の導入口から収容部内に流入したのち攪拌手段によって攪拌流になるので、収容部内に収容された機能剤が攪拌されて、例えば、収容部の流出口側に機能剤が偏るのを防止することができる。したがって、機能剤が偏ることで発生する圧損を抑制することができるため、シャワー出口からの放水流量の低下を防止し、さらに、機能剤を効率よく水と接触させることができるため、水に機能剤を十分に溶出させることができる効果がある。
【手続補正８】
【補正対象書類名】明細書
【補正対象項目名】００１２
【補正方法】変更
【補正の内容】
【００１２】
請求項２に記載した発明によれば、請求項１の効果に加え、例えば、シャワーの使用を一旦止めてシャワーヘッドをシャワー掛けに係止した場合に、収容部の中に残留している水が、出水孔を介してより下方のシャワー出口から自重により排出されるため、機能剤が残留している水中に浸され続けることがなく、機能剤が無駄に溶出して消費されることがない。したがって、シャワーの使用再開直後であっても機能剤が適量溶出した水をシャワー出口から放出することができる効果がある。
【手続補正９】
【補正対象書類名】明細書
【補正対象項目名】００１４
【補正方法】変更
【補正の内容】
【００１４】
請求項４に記載した発明によれば、請求項１乃至３の何れか一項の効果に加え、蓋によって、収容部に導入された水を攪拌流にすることができる。
請求項５に記載した発明によれば、請求項４の効果に加え、シャワーヘッドとカゴとの両方の上部開口部を同時に閉塞できる。さらに、シャワーヘッドの蓋によって収容部に導入された水を攪拌流にすることができるため、簡単な構造で機能剤を攪拌することができ、したがって、シャワーヘッド形状の制約を低減して意匠性を向上することができる効果がある。
【手続補正１０】
【補正対象書類名】明細書
【補正対象項目名】００１５
【補正方法】変更
【補正の内容】
【００１５】
請求項６に記載した発明によれば、請求項１乃至５の何れか一項の効果に加え、収容部内の水をより確実に攪拌流にすることができるため、収容部内で機能剤がより均一に攪拌され、この結果、さらに水への機能剤の溶出を促進することができる効果がある。
請求項７に記載の発明によれば、請求項６の効果に加え、収容部内の水をより確実に攪拌流にすることができるため、収容部内で機能剤がより均一に攪拌され、この結果、さらに水への機能剤の溶出を促進することができる効果がある。
【手続補正１１】
【補正対象書類名】明細書
【補正対象項目名】００１６
【補正方法】変更
【補正の内容】
【００１６】
請求項８に記載した発明によれば、請求項１乃至７の何れか一項の効果に加え、浄化手段によって浄化された原水を収容部に導入することができるため、浄化していない原水の場合と同量の機能剤であってもより芳香作用や、保湿作用などを際立たせることが可能となる効果がある。